(57)【要約】【課題】閉扉状態で鎖錠された自動販売機の断熱扉を円滑に開扉状態にする。【解決手段】断熱扉を閉扉状態にするとき、旋回する折曲部１２が閉方向押圧部２３に当接して断熱扉を閉扉方向に押圧しつつ、断熱扉の閉扉方向への押圧に伴って軸部１１が傾斜面２２ａに沿って上方に持ち上げられて断熱扉を上下方向の位置に案内して規定する。そして、断熱扉を開扉状態にするとき、旋回する折曲部１２が開方向押圧部２４に当接して断熱扉を開扉方向に押圧しつつ、断熱扉の開扉方向への押圧に伴って軸部１１が傾斜面２２ａに沿って下方に下がって断熱扉の位置の規定を解除する。これにより、断熱扉を開扉状態にするときに、断熱扉の開閉端を上方に持ち上げた重さが折曲部１２を介して軸部１１から把手部１３に伝わることがないので、断熱扉の開扉操作が円滑に行える。【選択図】        図６
2005234798.tif 000002
【特許請求の範囲】
【請求項１】
自動販売機本体内の商品収納庫の開口を開閉可能に設けた片開き式の断熱扉を閉扉状態にして鎖錠するロック装置を有し、
前記ロック装置は、前記断熱扉を閉扉状態にして鎖錠するときに前記断熱扉の上下方向の位置を規定する規定手段と、閉扉状態で鎖錠してある前記断熱扉を開扉状態にするときに前記断熱扉を開扉方向に押し出しつつ前記断熱扉の上下方向の位置の規定を解除する開放手段とを備えたことを特徴とする自動販売機の断熱扉ロック装置。
【請求項２】
前記ロック装置は、棒状の軸部の先端が折曲形成された折曲部を有して当該折曲部を旋回する態様で前記軸部を回動操作可能に設けた操作レバーと、前記断熱扉を開扉状態にするときに前記操作レバーの折曲部が挿通して係合される係合穴とを備え、
前記規定手段は、前記断熱扉を閉扉状態にするときに旋回する前記折曲部に当接して前記断熱扉を閉扉方向に押圧する反力を生じる閉方向押圧部と、前記断熱扉の閉扉方向への押圧に伴って前記軸部に当接して前記断熱扉の位置を案内する傾斜面とを前記係合穴側に設けてなり、
前記開放手段は、前記断熱扉を開扉状態にするときに旋回する前記折曲部に当接して前記断熱扉を開扉方向に押圧する反力を生じる開方向押圧部を前記係合穴側に設けてなり、前記断熱扉の開扉方向への押圧に伴って前記断熱扉の位置を前記傾斜面に沿って解除する
ことを特徴とする請求項１に記載の自動販売機の断熱扉ロック装置。
【請求項３】
自動販売機本体内の商品収納庫の開口を開閉可能に設けた断熱扉を閉扉状態にして鎖錠するロック装置を有し、
前記ロック装置は、閉扉状態で鎖錠してある前記断熱扉を開扉状態にするときに前記断熱扉を開扉方向に押し出す開放手段を備えたことを特徴とする自動販売機の断熱扉ロック装置。
【請求項４】
前記ロック装置は、棒状の軸部の先端が折曲形成された折曲部を有して当該折曲部を旋回する態様で前記軸部を回動操作可能に設けた操作レバーと、前記断熱扉を開扉状態にするときに前記操作レバーの折曲部が挿通して係合される係合穴とを備え、
前記開放手段は、前記断熱扉を開扉状態にするときに旋回する前記折曲部に当接して前記断熱扉を開扉方向に押圧する反力を生じる開方向押圧部を前記係合穴側に設けてなる
ことを特徴とする請求項３に記載の自動販売機の断熱扉ロック装置。
【発明の詳細な説明】
【技術分野】
【０００１】
本発明は、自動販売機本体内に設けた商品収納庫の開口を開閉するための断熱扉に係り、当該断熱扉を閉扉状態にして鎖錠するロック機能を備えた自動販売機の断熱扉ロック装置に関するものである。
【背景技術】
【０００２】
缶入り飲料やペットボトル入り飲料などを販売する自動販売機として、堅牢に構成した自動販売機本体の内部には、商品収納庫が設けてある。商品収納庫の内部には、商品を収納する商品収納ラックが並設して配置してある。そして、商品収納庫の内部では、冷却器や加熱ヒータによって商品収納ラックに収納した商品を冷却、加温する。このように構成された商品収納庫は、前面が開口しており、当該前面開口を断熱扉で開閉可能に構成してある。断熱扉は、一側端がヒンジを介して自動販売機本体側に取り付けられ、他側端が商品収納庫の前面開口に対して開閉移動する開閉端をなす片開き式の構成が一般的である。そして、断熱扉によって商品収納庫の前面開口を密閉状態に閉塞することによって商品収納庫内を外部から断熱する。この断熱扉には、断熱扉を手動で開閉操作するロック装置が設けてある。
【０００３】
一般に、ロック装置は、主に横向きほぼコ字形のロックレバーを有している。ロックレバーは、平行する一方を把手部とし、他方を軸部としてある。軸部は、断熱扉の開閉端側に先端を向けたほぼ水平な形態で断熱扉の外側面の開閉端に設けた軸受部に対して回転可能に取り付けてある。これにより、軸部は、把手部を上下方向に動かせるようにほぼ水平な軸線の周りに回動可能に設けられる。また、軸部は、軸受部に対して軸線方向に移動可能に取り付けてある。さらに、軸部の先端は、折曲形成してある。一方、断熱扉が閉扉状態のときに当該断熱扉の開閉端が対峙する自動販売機本体の前縁側には、係合穴部を有したロック部が設けてある。
【０００４】
このように構成したロック装置は、断熱扉を閉扉状態とし、例えば上方に動かしてある把手部を手で持って軸部を断熱扉の開閉端に近づける方向に水平移動させることで折曲形成した軸部の先端がロック部の係合穴部に挿通される。次いで、把手部を下方に動かして軸部を回動させれば、軸部の先端の折曲部分が係合穴部に係合して断熱扉を鎖錠させることになる。また、断熱扉を鎖錠した状態から、把手部を手で持って当該把手部を下方に動かして軸部を回動させ、軸部を断熱扉の開閉端から遠ざける方向に水平移動させることで軸部の先端が係合穴部から抜け出される。そのまま把手部を引くことで断熱扉が開扉状態になる。
【０００５】
ところで、断熱扉は、断熱構造を有するので重量物となっている。そして、上述したように断熱扉は、片開き式の構成であるため、開閉端側が下方に傾いた形態で開扉状態になる。この傾いた開扉状態のままで断熱扉を閉扉状態にして鎖錠してしまうと、当該断熱扉が商品収納庫の開口に対してずれるので、商品収納庫内の気密性に影響を及ぼし、断熱性が低下してしまうことになる。
【０００６】
そこで、従来のロック装置では、軸部の先端をロック部の係合穴部に挿通して、把手部を動かして軸部を回動させるときに、軸部の先端の折曲部分が係合穴に係合して断熱扉の開閉端を上方に持ち上げて当該断熱扉の開閉端の上下方向の位置を規定する構成を備えている（例えば、特許文献１参照）。
【０００７】
【特許文献１】特開平１０−７９０８０号公報
【発明の開示】
【発明が解決しようとする課題】
【０００８】
しかしながら、従来の自動販売機の断熱扉ロック装置では、断熱扉を開扉状態にするとき、上述のごとく断熱扉の開閉端を上方に持ち上げた重さが軸部の先端から把手部に伝わって把手部の操作が重たくなってしまう。さらに、閉扉状態で気密性を有した断熱扉を開扉方向に引き出す操作にも重さを生じてしまう。これにより、断熱扉の開扉操作が円滑に行えなくなるという問題がある。
【０００９】
本発明は、上記実情に鑑みて、閉扉状態で鎖錠された断熱扉を円滑に開扉状態にすることができる自動販売機の断熱扉ロック装置を提供することを目的とする。
【課題を解決するための手段】
【００１０】
上記の目的を達成するために、本発明の請求項１に係る自動販売機の断熱扉ロック装置は、自動販売機本体内の商品収納庫の開口を開閉可能に設けた片開き式の断熱扉を閉扉状態にして鎖錠するロック装置を有し、前記ロック装置は、前記断熱扉を閉扉状態にして鎖錠するときに前記断熱扉の上下方向の位置を規定する規定手段と、閉扉状態で鎖錠してある前記断熱扉を開扉状態にするときに前記断熱扉を開扉方向に押し出しつつ前記断熱扉の上下方向の位置の規定を解除する開放手段とを備えたことを特徴とする。
【００１１】
本発明の請求項２に係る自動販売機の断熱扉ロック装置は、上記請求項１において、前記ロック装置は、棒状の軸部の先端が折曲形成された折曲部を有して当該折曲部を旋回する態様で前記軸部を回動操作可能に設けた操作レバーと、前記断熱扉を開扉状態にするときに前記操作レバーの折曲部が挿通して係合される係合穴とを備え、前記規定手段は、前記断熱扉を閉扉状態にするときに旋回する前記折曲部に当接して前記断熱扉を閉扉方向に押圧する反力を生じる閉方向押圧部と、前記断熱扉の閉扉方向への押圧に伴って前記軸部に当接して前記断熱扉の位置を案内する傾斜面とを前記係合穴側に設けてなり、前記開放手段は、前記断熱扉を開扉状態にするときに旋回する前記折曲部に当接して前記断熱扉を開扉方向に押圧する反力を生じる開方向押圧部を前記係合穴側に設けてなり、前記断熱扉の開扉方向への押圧に伴って前記断熱扉の位置を前記傾斜面に沿って解除することを特徴とする。
【００１２】
本発明の請求項３に係る自動販売機の断熱扉ロック装置は、自動販売機本体内の商品収納庫の開口を開閉可能に設けた断熱扉を閉扉状態にして鎖錠するロック装置を有し、前記ロック装置は、閉扉状態で鎖錠してある前記断熱扉を開扉状態にするときに前記断熱扉を開扉方向に押し出す開放手段を備えたことを特徴とする。
【００１３】
本発明の請求項４に係る自動販売機の断熱扉ロック装置は、上記請求項３において、前記ロック装置は、棒状の軸部の先端が折曲形成された折曲部を有して当該折曲部を旋回する態様で前記軸部を回動操作可能に設けた操作レバーと、前記断熱扉を開扉状態にするときに前記操作レバーの折曲部が挿通して係合される係合穴とを備え、前記開放手段は、前記断熱扉を開扉状態にするときに旋回する前記折曲部に当接して前記断熱扉を開扉方向に押圧する反力を生じる開方向押圧部を前記係合穴側に設けてなることを特徴とする。
【発明の効果】
【００１４】
本発明に係る自動販売機の断熱扉ロック装置は、断熱扉を閉扉状態にするとき、断熱扉の上下方向の位置を規定する。そして、この断熱扉を開扉状態にするときには、断熱扉を開扉方向に押圧しつつ、当該断熱扉の開扉方向への押圧に伴って断熱扉の位置の規定を解除する。これにより、断熱扉を開扉状態にするときに、断熱扉の上下方向の位置を規定した重さを捜査力として受けることがないので、断熱扉の開扉操作を円滑に行うことができる。さらに、断熱扉を開扉状態にするときに、閉扉状態で気密性を有した断熱扉を開扉方向に引き出す操作力が軽くなるので、断熱扉の開扉操作を円滑に行うことができる。
【発明を実施するための最良の形態】
【００１５】
以下に添付図面を参照して、本発明に係る自動販売機の断熱扉ロック装置の好適な実施例を詳細に説明する。なお、この実施例によりこの発明が限定されるものではない。
【実施例】
【００１６】
初めに、本発明に係るロック装置が採用される自動販売機について説明する。図１は本発明に係る自動販売機の断熱扉ロック装置を採用した一般的な自動販売機を示した正面図、図２は図１に示した自動販売機の内部を開放した状態の斜視図、図３は図１に示した自動販売機の断面側面図である。
【００１７】
ここで例示する自動販売機は、缶入り飲料やペットボトル入り飲料などの商品を販売するためのもので、図１〜図３に示すように自動販売機本体１、外扉２および断熱扉３を備えている。
【００１８】
自動販売機本体１は、複数の鋼板を適宜組み合わせることによって構成したもので、前面が開口した直方状を成している。この自動販売機本体１の内部には、商品収納庫４が設けてある。商品収納庫４は、複数（本実施例では３つ）の独立した収納庫４ａ，４ｂ，４ｃが並設してある。
【００１９】
商品収納庫４は、飲料缶やペットボトルを所望の温度に維持した状態で収容するためのもので、前面に開口を有している。商品収納庫４内のそれぞれの上方部には、コラム状のラック６が複数配設してある。各ラック６は、上部の商品投入口６ａから投入された商品を収納し、最下部の商品を１つずつ切り出して搬出する。各ラック６の下側には、ラック６から搬出された商品を商品収納庫４の前方に搬出するシュータ７が設けてある。
【００２０】
商品収納庫４内のシュータ７によって区画される下方部には、熱交換器が配設してある。例えば正面向かって左側に位置する収納庫４ａが冷却専用としてある場合には、図３に示すように熱交換器として冷却ユニットの蒸発器１１１、並びに庫内ファン１２０や庫内ファン用モータ１２１を備える。これに対して例えば中央に位置する収納庫４ｂ、および正面向かって右側に位置する収納庫４ｃが冷却／加温切り換え可能としてある場合には、図３に示すように熱交換器として冷却ユニットの蒸発器１１１、並びに庫内ファン１２０や庫内ファン用モータ１２１に加えて加熱ヒータ１２２を備える。
【００２１】
上記商品収納庫４（４ａ，４ｂ，４ｃ）の下方となる位置には、機械室５が設けてある。機械室５は、上述した収納庫４ａ，４ｂ，４ｃで共通に使用する機械部品を収容するためのものである。具体的には、圧縮機１１２、凝縮器１１３、膨張器１１４といった冷却ユニットの構成部品、並びに庫外ファン１２３や庫外ファン用モータ１２４を配設してある。膨張器１１４から各収納庫４ａ，４ｂ，４ｃに配設した蒸発器１１１に至る冷媒供給管には、駆動する蒸発器１１１を選択するための電磁バルブ１１５が個別に設けてある。
【００２２】
自動販売機の外扉２は、自動販売機本体１の前面開口を覆うに十分な大きさを有したもので、鋼材により堅牢に構成してあり、自動販売機本体１の一側縁部に支承してある。この外扉２には、その前面（外面）側にディスプレイウィンド２０１、選択ボタン２０２、硬貨投入口２０３、紙幣挿入口２０４、表示器２０５、硬貨返却口２０６、商品取出口２０７が設けてある。ディスプレイウィンド２０１は、外扉２の内部に配置した商品見本２０１ａおよび電照板２０１ｂを利用者に視認させるための窓である。一方、外扉２の背面（内面）側には、硬貨処理機２１１、硬貨回収箱２１２、紙幣処理機２１３、ディスプレイドア２１４、メインコントロールボックス１２５が設けてある。ディスプレイドア２１４は、商品見本２０１ａおよび電照板２０１ｂを配置するためのものである。
【００２３】
自動販売機の断熱扉３は、自動販売機本体１に設けた商品収納庫４（４ａ，４ｂ，４ｃ）の前面の開口を覆うに十分な大きさを有したもので、鋼材によって断熱性を備えて構成してある。図示の例では、断熱扉３を上下３Ａ，３Ｂに分割してそれぞれを個別に開閉できるようにしてある。この断熱扉３（３Ａ，３Ｂ）は、商品収納庫４の前面開口を密閉状態に閉塞することによって商品収納庫４内を外部から断熱する。
【００２４】
上側の断熱扉３Ａは、外扉２の内面側に取り付けてあり、当該外扉２とともに開閉する。この断熱扉３Ａは、外扉２の閉塞に伴ってラック６の商品投入口６ａであって商品収納庫４の前面開口の上部領域を閉塞し、外扉２の開放に伴ってラック６の商品投入口６ａであって商品収納庫４の前面開口の上部領域を開放する。そして、断熱扉３Ａによってラック６の商品投入口６ａを開放したときには、商品投入口６ａからの商品の補充作業を行うことができる。
【００２５】
下側の断熱扉３Ｂは、一側端がヒンジを介して自動販売機本体１側に取り付けられ、他側端が商品収納庫４の前面の開口に対して開閉移動する開閉端をなす片開き式として構成してある。この断熱扉３Ｂは、その閉塞時に商品収納庫４の前面開口の下部領域を閉塞する（閉扉状態）。また断熱扉３Ｂは、その開放時に商品収納庫４の前面開口の下部領域を開放する（開扉状態）。また、断熱扉３Ｂには、シュータ７で搬出された商品を外扉２の商品取出口２０７に送出するための商品送出口３Ｂａが各収納庫４ａ，４ｂ，４ｃに対応して設けてある。そして、断熱扉３Ｂによって商品収納庫４の前面開口を開放したときには、例えばラック６のメンテナンスあるいは商品収納庫４内の部品の交換などの作業を行うことができる。このように、断熱扉３Ｂは、断熱扉３Ａとともに商品収納庫４の前面開口を開閉する。なお、本実施例では、断熱扉３を上下の断熱扉３Ａ，３Ｂに分割した構成を一例としているが、上下の断熱扉３Ａ，３Ｂに分割しない一つの断熱扉３を断熱扉３Ｂのように片開き式として構成して商品収納庫４の前面開口を開閉する形態としてあってもよい。
【００２６】
上記断熱扉３（３Ｂ）には、本発明に係るロック装置が設けてある。以下、本発明に係るロック装置について説明する。図４は本発明に係る自動販売機の断熱扉ロック装置を示す斜視図、図５は図４に示したロック装置による断熱扉の閉扉操作を示す動作図、図６は図４に示したロック装置による断熱扉の開扉操作を示す動作図である。
【００２７】
ロック装置は、断熱扉３（３Ｂ）を商品収納庫４の前面開口に対して手動で開閉操作するためのものであって、特に断熱扉３（３Ｂ）を閉扉状態にして鎖錠するためのものである。このためにロック装置は、図２および図４に示すように断熱扉３（３Ｂ）側に配置してある操作レバー１０と、自動販売機本体１側に配置してあって断熱扉３（３Ｂ）を開扉状態にするときに操作レバー１０が係合される係合穴２０とを備えている。
【００２８】
図４に示すように操作レバー１０は、棒状の軸部１１と、軸部１１の先端が折曲形成された折曲部１２と、軸部１１の後端が折曲形成された把手部１３とを有している。この操作レバー１０は、断熱扉３（３Ｂ）の前面（外面）側の位置であって、断熱扉３（３Ｂ）の開閉端の位置に対して保持金具１４によって取り付けてある。
【００２９】
軸部１１は、棒状の長手方向をほぼ水平とした形態で、保持金具１４を介して図４中に矢印Ｘで示す長手方向に移動可能であり、かつ、図４中に矢印Ｒで示すように長手方向の軸線を中心にして回動可能に設けてある。より詳述すると、軸部１１は、折曲部１２を形成してある長手方向の先端を断熱扉３（３Ｂ）の他側端（開閉端）側に向け、把手部１３を形成してある長手方向の後端を断熱扉３（３Ｂ）の一側端側に向けた形態で、断熱扉３（３Ｂ）に固定した保持金具１４によって長手方向に移動可能であり、かつ、長手方向の軸線を中心にして回動可能に保持してある。なお、図４に示す操作レバー１０の位置は、折曲部１２を断熱扉３（３Ｂ）の開閉端から突出させた形態である軸部１１の前進位置を示す。一方、図には明示しないが、軸部１１の後退位置は、折曲部１２を断熱扉３（３Ｂ）の開閉端から退避させた形態である。
【００３０】
折曲部１２は、軸部１１の軸線に対して直交する方向に当該軸部１１の先端をほぼＬ字形に折り曲げてなる。また、把手部１３は、軸部１１の軸線に対して直交する方向に当該軸部１１の後端をほぼＬ字形に折り曲げ、さらに軸部１１の軸線に対して平行する方向に端部をほぼＬ字形に折り曲げてなる。なお、把手部１３は、少なくとも軸部１１の軸線に対して直交する方向に当該軸部１１の後端をほぼＬ字形に折り曲げて形成してあればよい。そして、折曲部１２と把手部１３とは、図４に示すように把手部１３がほぼ鉛直方向に垂れ下がる形態となるように軸部１１を回動した状態において、折曲部１２の端部が前側やや下向きに向いた形態となる関係で折曲形成してある。
【００３１】
図４に示すように係合穴２０は、本実施例では、板金などの板状部材２１に穿設してあり、この板状部材２１を自動販売機本体１の前縁側であって、断熱扉３（３Ｂ）が閉扉状態のときに当該断熱扉３（３Ｂ）の開閉端が対峙する位置であり、上記操作レバー１０の折曲部１２が対峙する位置に固定してある。
【００３２】
係合穴２０は、操作レバー１０の折曲部１２が挿抜し得る形状であり、詳しくは操作レバー１０の軸部１１を回動して折曲部１２の端部を上方に向けた形態で当該折曲部１２が挿抜できる高さ（Ｔ）を有してなる。さらに、係合穴２０は、操作レバー１０の軸部１１が断熱扉３（３Ｂ）の開閉方向に移動し得る形状であり、詳しくは係合穴２０に折曲部１２を挿入した形態で軸部１１を断熱扉３（３Ｂ）の開閉方向、すなわち自動販売機本体１の前後方向に移動できる幅（Ｈ）を有してなる。また、係合穴２０は、操作レバー１０の軸部１１を上下方向に案内する傾斜面２２ａを有している。具体的に傾斜面２２ａは、本発明の規制手段を構成するものであって、係合穴２０の下縁面をなし、上記幅（Ｈ）の範囲内で断熱扉３（３Ｂ）の閉扉方向、すなわち自動販売機本体１の後方向に向けて徐々に上方に向けて傾斜して形成してある。さらにまた、傾斜面２２ａの頂部は、上記幅（Ｈ）の範囲内で傾斜面２２ａに連続する水平面２２ｂを有している。この水平面２２ｂは、係合穴２０の一部が自動販売機本体１の後方に延在する溝状部分として設けてある。
【００３３】
また、係合穴２０を設けた板状部材２１には、本発明の規制手段を構成する閉方向押圧部２３と、本発明の開放手段を構成する開方向押圧部２４とが設けてある。閉方向押圧部２３は、係合穴２０を設けた板状部材２１の板片２１ａに対して自動販売機本体１における前側に相当する板片２１ｂを、係合穴２０の内方に向けて板片２１ａに対してほぼ垂直に折り曲げてなるものである。すなわち、閉方向押圧部２３は、係合穴２０の前側の内壁をなしている。一方、開方向押圧部２４は、係合穴２０を設けた板状部材２１の板片２１ａに対して自動販売機本体１における後側に相当する板片２１ｃを、係合穴２０の内方に向けて板片２１ａに対してほぼ垂直に折り曲げてなるものである。すなわち、開方向押圧部２４は、係合穴２０の後側の内壁をなしている。そして、係合穴２０を設けた板状部材２１は、閉方向押圧部２３をなす板片２１ｂ、および開方向押圧部２４をなす板片２１ｃを、自動販売機本体１の前縁側に設けた穴部１ａに挿通して当該自動販売機本体１側に固定される。このように構成した閉方向押圧部２３および開方向押圧部２４には、係合穴２０に折曲部１２を挿入した形態で軸部１１を回動したときに折曲部１２の端部が当接する。
【００３４】
以下、上述したロック装置の動作について説明する。図５において（ａ）〜（ｄ）は、断熱扉３（３Ｂ）の閉扉操作を示したものである。断熱扉３（３Ｂ）の閉扉操作では、まず、断熱扉３（３Ｂ）が開扉状態のとき、操作レバー１０の軸部１１を後退位置にして、折曲部１２を断熱扉３（３Ｂ）の開閉端から退避させておく。さらに、操作レバー１０の軸部１１を回動させて折曲部１２の端部が上方に向いた位置にしておく。
【００３５】
そして、図５（ａ）に示すように操作レバー１０の折曲部１２が係合穴２０に挿入できる位置まで断熱扉３（３Ｂ）を閉じる。次いで、操作レバー１０の軸部１１を前進位置にして、折曲部１２を係合穴２０に挿入させる。次いで、操作レバー１０の把手部１３を手で持って、図５（ａ）中に矢印で示す時計回り方向に軸部１１を回動させる。
【００３６】
軸部１１の時計回りへの回動に伴い、折曲部１２も時計回り方向に旋回する。これにより、図５（ｂ）に示すように折曲部１２の端部が閉方向押圧部２３に当接する。続いて、図５（ｂ）中に矢印で示す時計回り方向に軸部１１をさらに回動させる。
【００３７】
軸部１１の時計回りへのさらなる回動に伴い、折曲部１２の端部は閉方向押圧部２３に向けてさらに旋回する。このため、閉方向押圧部２３には、軸部１１を扉閉方向に押圧する反力が生じる。すなわち、閉方向押圧部２３が自動販売機本体１側に固定してあるので、図５（ｃ）に示すように軸部１１が扉閉方向に移動することになって、断熱扉３（３Ｂ）が扉閉方向に移動する。このように、閉方向押圧部２３は、断熱扉３（３Ｂ）を閉扉方向に押圧する反力を生じる。さらに、軸部１１が扉閉方向に移動すると、当該軸部１１が傾斜面２２ａに沿って上方に持ち上げられる。この結果、断熱扉３（３Ｂ）が傾斜面２２ａに沿って上方に持ち上げられることになる。続いて、図５（ｃ）中に矢印で示す時計回り方向に軸部１１をさらに回動させる。
【００３８】
軸部１１の時計回りへのさらなる回動に伴い、図５（ｄ）に示すように軸部１１が傾斜面２２ａの頂部にある水平面２２ｂの位置に至る。この状態において断熱扉３（３Ｂ）が閉扉状態になる。さらに、この状態において、操作レバー１０は、把手部１３がほぼ鉛直方向に垂れ下がる形態となり、折曲部１２の端部が前側やや下向きに向いた形態となる。この形態では、閉方向押圧部２３が折曲部１２の端部に当接して軸部１１を閉扉方向へ押圧する反力を生じつつ、軸部１１を時計回り方向に押圧して断熱扉３（３Ｂ）が扉開方向に移動することを防ぐ。すなわち、断熱扉３（３Ｂ）が閉扉状態で鎖錠されることになる。
【００３９】
ここで、断熱扉３（３Ｂ）は、断熱構造を有するので重量物となっている。さらに、断熱扉３（３Ｂ）は、片開き式の構成であるため、開閉端側が下方に傾いた形態で開扉状態になる。この傾いた開扉状態のままで断熱扉３（３Ｂ）を閉扉状態にして鎖錠してしまうと、当該断熱扉３（３Ｂ）が商品収納庫４の開口に対してずれるので、商品収納庫４内の気密性に影響を及ぼし、断熱性が低下してしまうことになる。そこで、上記のごとく断熱扉３（３Ｂ）を傾斜面２２ａに沿って上方に持ち上げることによって、断熱扉３（３Ｂ）の上下方向の位置が規定されるので、断熱扉３（３Ｂ）が商品収納庫４の開口に対して適した位置で扉閉状態になる。
【００４０】
図６において（ａ）〜（ｄ）は、断熱扉３（３Ｂ）の開扉操作を示したものである。図６（ａ）に示すように、断熱扉３（３Ｂ）を閉扉状態にして鎖錠した形態から、操作レバー１０の把手部１３を手で持って、図６（ａ）中に矢印で示す反時計回り方向に軸部１１を回動させる。
【００４１】
軸部１１の反時計回りへの回動に伴い、折曲部１２も反時計回り方向に旋回する。これにより、図６（ｂ）に示すように折曲部１２の端部が開方向押圧部２４に当接する。続いて、図６（ｂ）中に矢印で示す反時計回り方向に軸部１１をさらに回動させる。
【００４２】
軸部１１の反時計回りへのさらなる回動に伴い、折曲部１２の端部は開方向押圧部２４に向けてさらに旋回する。このため、開方向押圧部２４には、軸部１１を扉開方向に押圧する反力が生じる。すなわち、開方向押圧部２４が自動販売機本体１側に固定してあるので、図６（ｃ）に示すように軸部１１が扉開方向に移動することになって、断熱扉３（３Ｂ）が扉開方向に移動する。このように、開方向押圧部２４は、断熱扉３（３Ｂ）を閉扉方向に押圧する反力を生じる。さらに、軸部１１が扉開方向に移動すると、当該軸部１１が傾斜面２２ａに沿って下方に下げられる。この結果、断熱扉３（３Ｂ）が傾斜面２２ａに沿って下方に下げられることになる。続いて、図６（ｃ）中に矢印で示す反時計回り方向に軸部１１をさらに回動させる。
【００４３】
軸部１１の時計回りへのさらなる回動に伴い、図５（ｄ）に示すように軸部１１が傾斜面２２ａの下位置に至る。そして、折曲部１２の端部が上方に向いた位置にしておく。次いで、操作レバー１０の軸部１１を後退位置にして、折曲部１２を係合穴２０から引き抜く。この状態において断熱扉３（３Ｂ）が開扉状態になる。すなわち、操作レバー１０の把手部１３を手前に引くことによって、断熱扉３（３Ｂ）が閉扉状態になって商品収納庫４の前面開口が開放される。
【００４４】
したがって、上記のごとく構成した自動販売機の断熱扉ロック装置では、断熱扉３（３Ｂ）を閉扉状態にするとき、旋回する折曲部１２が閉方向押圧部２３に当接して断熱扉３（３Ｂ）を閉扉方向に押圧しつつ、断熱扉３（３Ｂ）の閉扉方向への押圧に伴って軸部１１が傾斜面２２ａに沿って上方に持ち上げられて断熱扉３（３Ｂ）を上下方向の位置に案内して規定する。そして、断熱扉３（３Ｂ）を開扉状態にするとき、旋回する折曲部１２が開方向押圧部２４に当接して断熱扉３（３Ｂ）を開扉方向に押圧しつつ、断熱扉３（３Ｂ）の開扉方向への押圧に伴って軸部１１が傾斜面２２ａに沿って下方に下がって断熱扉３（３Ｂ）の位置の規定を解除する。これにより、断熱扉３（３Ｂ）を開扉状態にするときに、断熱扉３（３Ｂ）の開閉端を上方に持ち上げた重さが折曲部１２を介して軸部１１から把手部１３に伝わることがないので、断熱扉３（３Ｂ）の開扉操作を円滑に行うことが可能になる。さらに、断熱扉３（３Ｂ）を開扉状態にするときに、閉扉状態で気密性を有した断熱扉３（３Ｂ）を開扉方向に引き出す操作力が軽くなるので、断熱扉３（３Ｂ）の開扉操作を円滑に行うことが可能になる。
【００４５】
なお、上述した実施例では、操作レバー１０を断熱扉３（３Ｂ）側に設け、係合穴２０を自動販売機本体１側に設けた構成を説明したが、操作レバー１０を自動販売機本体１側に設け、係合穴２０を断熱扉３（３Ｂ）側に設けた構成としてもよい。
【００４６】
また、上述した実施例では、断熱扉３（３Ｂ）の開閉端が下方に下がって開扉状態となる形態に係り、断熱扉３（３Ｂ）の開閉端を上方に持ち上げて閉扉状態にする構成を説明したがこの限りではない。例えば、断熱扉３（３Ｂ）の開閉端が上方に上がって開扉状態となる形態に係り、断熱扉３（３Ｂ）の開閉端を下方に下げて閉扉状態にする構成としてもよい。この場合、上述した傾斜面２２ａおよび水平面２２ｂを係合穴２０の上縁面に設ければよい。
【００４７】
さらに、上述した実施例では、閉扉状態にするときに断熱扉３（３Ｂ）の上下方向の位置を規定し、断熱扉３（３Ｂ）を開扉状態にするときに断熱扉３（３Ｂ）を開扉方向に押し出しつつ断熱扉３（３Ｂ）の上下方向の位置の規定を解除する構成を説明したがこの限りではない。例えば、断熱扉３（３Ｂ）を支持するヒンジに剛性があって断熱扉３（３Ｂ）の上下方向の位置を規定する必要がない場合、断熱扉３（３Ｂ）を開扉状態にするときに断熱扉３（３Ｂ）を開扉方向に押し出す構成とすれば、閉扉状態で気密性を有した断熱扉３（３Ｂ）を開扉方向に引き出す操作力が軽くなるので、断熱扉３（３Ｂ）の開扉操作を円滑に行うことが可能になる。
【産業上の利用可能性】
【００４８】
以上のように、本発明に係る自動販売機の断熱扉ロック装置は、自動販売機本体内に設けた商品収納庫の開口を開閉するための断熱扉を閉扉状態にして鎖錠するロック装置に有用であり、特に、閉扉状態で鎖錠された断熱扉を、円滑に開扉状態にすることに適している。
【図面の簡単な説明】
【００４９】
【図１】本発明に係る自動販売機の断熱扉ロック装置を採用した一般的な自動販売機を示した正面図である。
【図２】図１に示した自動販売機の内部を開放した状態の斜視図である。
【図３】図１に示した自動販売機の断面側面図である。
【図４】本発明に係る自動販売機の断熱扉ロック装置を示す斜視図である。
【図５】図４に示したロック装置による断熱扉の閉扉操作を示す動作図である。
【図６】図４に示したロック装置による断熱扉の開扉操作を示す動作図である。
【符号の説明】
【００５０】
１    自動販売機本体
１ａ    穴部
２    外扉
３（３Ａ，３Ｂ）    断熱扉
４（４ａ，４ｂ，４ｃ）    商品収納庫
６    ラック
１０    操作レバー
１１    軸部
１２    折曲部
１３    把手部
１４    保持金具
２０    係合穴
２１    板状部材
２１ａ，２１ｂ，２１ｃ    板片
２２ａ    傾斜面
２２ｂ    水平面
２３    閉方向押圧部
２４    開方向押圧部
【図１】
2005234798.tif 000003
【図２】
2005234798.tif 000004
【図３】
2005234798.tif 000005
【図４】
2005234798.tif 000006
【図５】
2005234798.tif 000007
【図６】
2005234798.tif 000008